(57)【要約】【課題】浴槽の壁部への接続部材の取付部からの漏水を容易に検査することができる漏水検査治具及び漏水検査方法を得る。【解決手段】漏水検査治具６０は、浴槽１０の側壁１２を貫通すると共に配管を接続する接続部材としての追焚き循環金具１４を浴槽１０の内側から覆い、浴槽１０の内壁との間に流体（例えば水６６）が貯留できる貯留部を形成するカバー部６２を備えている。カバー部６２の内部に流体を貯留した状態で、浴槽１０の壁部への追焚き循環金具１４の取付部（追焚き循環金具１４と浴槽１０の壁部との間）の漏水が検査される。【選択図】図５
2012225874.tif 000002
【特許請求の範囲】
【請求項１】
浴槽の壁部を貫通すると共に配管を接続するための接続部材を前記浴槽の内側から覆い、前記浴槽の内壁との間に流体が貯留できる貯留部を形成するカバー体を備えた漏水検査治具。
【請求項２】
前記カバー体の全縁部は前記浴槽の内壁に密着し、前記貯留部を閉塞空間とする請求項１に記載の漏水検査治具。
【請求項３】
閉塞空間とされた前記貯留部へ封入された流体を加圧する加圧機構を備えた請求項２に記載の漏水検査治具。
【請求項４】
閉塞空間とされた前記貯留部へ封入された流体を減圧する減圧機構を備えた請求項２に記載の漏水検査治具。
【請求項５】
前記カバー体は、前記貯留部に流体を入れる開口部を備えている請求項１に記載の漏水検査治具。
【請求項６】
前記カバー体は、前記貯留部の液体圧を上げる筒状部と、前記筒状部の先端に設けられ前記貯留部に液体を入れる開口部と、を備えている請求項１に記載の漏水検査治具。
【請求項７】
浴槽の壁部を貫通すると共に配管を接続するための接続部材をカバー体で前記浴槽の内側から覆い、前記カバー体と前記浴槽の内壁との間に流体を貯留して、前記浴槽の外側の前記接続部材の取付部からの流体漏れを検査する漏水検査方法。
【請求項８】
浴槽の壁部を貫通すると共に配管を接続するための接続部材の前記浴槽の外側の取付部の周辺に界面活性剤を塗布し、カバー体で前記接続部材を前記浴槽の内側から覆い、前記カバー体と前記浴槽の内壁との間の閉塞空間に封入された空気を加圧して、前記界面活性剤からの泡の発生状態により前記接続部材の取付部からの空気漏れを検査する漏水検査方法。
【請求項９】
浴槽の壁部を貫通すると共に配管を接続するための接続部材をカバー体で前記浴槽の内側から覆い、前記カバー体と前記浴槽の内壁との間に液体が封入された閉塞空間を形成し、前記閉塞空間を減圧して前記接続部材の取付部からの空気の流入状態を検査する漏水検査方法。
【請求項１０】
浴槽の壁部を貫通すると共に配管を接続するための接続部材をカバー体で前記浴槽の内側から覆い、前記カバー体と前記浴槽の内壁との間に空気が封入された閉塞空間を形成し、前記閉塞空間を減圧状態で放置し、前記カバー体の形状の変化を検査する漏水検査方法。
【発明の詳細な説明】
【技術分野】
【０００１】
本発明は、漏水検査治具及び漏水検査方法に関する。
【背景技術】
【０００２】
下記特許文献１には、浴槽に接続された配管の漏水を検査する検査用治具として、配管の端部を検査用治具により閉塞し、配管に水をためて配管からの漏水を検査する構成が開示されている。
【０００３】
また、下記特許文献２には、浴槽の側壁の配管接続口からの漏水を受けて排水することができる浴槽構造が開示されている。
【先行技術文献】
【特許文献】
【０００４】
【特許文献１】特開平０９−１７８６００号公報
【特許文献２】特開２０１０−１４２３９２号公報
【発明の概要】
【発明が解決しようとする課題】
【０００５】
しかし、上記特許文献１に記載の検査用治具は、配管の端部を閉塞する治具であるため、浴槽の壁部への給湯金具（追焚き循環金具など）の取付部、すなわち浴槽の壁部と給湯金具との間の漏水については検査することができない。
【０００６】
また、上記特許文献２に記載の浴槽構造は、浴槽の側壁の配管接続口から万が一漏水して、その水が浴槽外にもれた場合の対策として、漏水を受けて排水することができるが、浴槽の壁部と給湯金具との間の漏水を検査することができない。
【０００７】
従来から、浴槽の壁部への給湯金具の取付部（浴槽の壁部と給湯金具との間）の漏水については、浴槽がほぼ満水になるまで水を張って検査することが多い（満水試験）。このため、満水試験を行う際に手間がかかり、また、検査用に浴槽に張った水が無駄となる。
【０００８】
また、浴室の施工現場の状況を考えると、浴室に給排水の配管等を接続し、浴槽に水を張れるようになった段階で、満水試験を行い、浴槽の壁部と給湯金具との間から漏水が発生することがわかっても、浴室の周囲の工事が進んでいるため、給湯金具の取付部を修理する作業が煩雑である。
【０００９】
本発明は、上記問題点に鑑みてなされたものであり、浴槽の壁部への接続部材の取付部からの漏水を容易に検査することができる漏水検査治具及び漏水検査方法を提供することを目的とする。
【課題を解決するための手段】
【００１０】
上記目的を達成するために、請求項１の発明に係る漏水検査治具は、浴槽の壁部を貫通すると共に配管を接続するための接続部材を前記浴槽の内側から覆い、前記浴槽の内壁との間に流体が貯留できる貯留部を形成するカバー体を備えたものである。
【００１１】
本発明によれば、漏水検査治具は、浴槽の壁部を貫通すると共に配管を接続するための接続部材を浴槽の内側から覆うカバー体を備えており、カバー体で接続部材を浴槽の内側から覆うことで浴槽の内壁との間に流体が貯留できる貯留部を形成する。この貯留部により、浴槽の内側の接続部材の周囲が流体で満たされる。この状態で、浴槽の壁部への接続部材の取付部（浴槽の壁部と接続部材との間）からの流体の漏れを検査することで、接続部材の取付部からの漏水を検査することができる。この漏水検査治具により、浴槽の内側の接続部材を覆う部分にだけ流体を貯留できるため、例えば、従来のように浴槽がほぼ満水になるまで水を張って漏水検査を行う必要がなく、接続部材の取付部の漏水検査を容易に行うことが可能となる。
【００１２】
請求項２に記載の発明に係る漏水検査治具は、請求項１に記載の発明において、前記カバー体の全縁部は前記浴槽の内壁に密着し、前記貯留部を閉塞空間とするものである。
【００１３】
本発明によれば、カバー体の全縁部を浴槽の内壁に密着させ、貯留部を閉塞空間とすることで、接続部材の周囲に流体を封入した状態で、浴槽の壁部への接続部材の取付部（浴槽の壁部と接続部材との間）からの流体の漏れを検査することができる。これにより、流体として液体や空気などを用いることができ、接続部材の取付部の漏水検査がさらに容易となる。なお、「密着」には、カバー体の全縁部を直接浴槽の内壁に密着させる場合のほか、ゴム製のパッキンや接着剤を介して密着させる場合も含まれる。
【００１４】
請求項３に記載の発明に係る漏水検査治具は、請求項２に記載の発明において、閉塞空間とされた前記貯留部へ封入された流体を加圧する加圧機構を備えたものである。
【００１５】
本発明によれば、流体を加圧する加圧機構を設けることで、閉塞空間とされた貯留部へ封入された流体を加圧する。これにより、流体の圧力が高い状態で、浴槽の壁部への接続部材の取付部（浴槽の壁部と接続部材との間）からの流体の漏れを検査することができ、流体が漏れ出しやすくなる。このため、接続部材の取付部の漏水検査がより一層容易となる。
【００１６】
請求項４に記載の発明に係る漏水検査治具は、請求項２に記載の発明において、閉塞空間とされた前記貯留部へ封入された流体を減圧する減圧機構を備えたものである。
【００１７】
本発明によれば、流体を減圧する減圧機構を設けることで、閉塞空間とされた貯留部へ封入された流体を減圧する。例えば、流体として液体を用いた場合は、貯留部が減圧されることで、接続部材の取付部の気密性が悪ければ浴槽の壁部と接続部材との間から空気が流入して液体中に泡が発生する。このため、接続部材の取付部の漏水検査がより一層容易となる。
【００１８】
また、例えば、流体として空気を用いた場合は、カバー体の全縁部を浴槽の内壁に密着させて減圧し、しばらく放置することで、接続部材の取付部の気密性が悪い場合にはカバー体の内部の圧力が上がってカバー体の形状が変化する。このため、カバー体の内部に液体を張らなくても、接続部材の取付部の漏水検査を行うことができる。
【００１９】
請求項５に記載の発明に係る漏水検査治具は、請求項１から請求項４までのいずれか１項に記載の発明において、前記カバー体は、前記貯留部に流体を入れる開口部を備えているものである。
【００２０】
本発明によれば、カバー体は、貯留部に流体を入れる開口部を備えており、開口部から流体を貯留部に入れることができる。このため、漏水検査の作業効率が向上する。
【００２１】
請求項６に記載の発明に係る漏水検査治具は、請求項２から請求項４までのいずれか１項に記載の発明において、前記カバー体は、前記貯留部の液体圧を上げる筒状部と、前記筒状部の先端に設けられ前記貯留部に液体を入れる開口部と、を備えているものである。
【００２２】
本発明によれば、筒状部の先端に設けられた開口部から貯留部に液体を入れると共に、筒状部により貯留部の液体圧を上げる。このため、貯留部の液体圧を上げた状態で接続部材の取付部の漏水検査を行うことができる。
【００２３】
請求項７に記載の発明に係る漏水検査方法は、浴槽の壁部を貫通すると共に配管を接続するための接続部材をカバー体で前記浴槽の内側から覆い、前記カバー体と前記浴槽の内壁との間に流体を貯留して、前記浴槽の外側の前記接続部材の取付部からの流体漏れを検査するものである。
【００２４】
本発明によれば、浴槽の壁部を貫通すると共に配管を接続するための接続部材をカバー体で浴槽の内側から覆い、カバー体と浴槽の内壁との間に流体を貯留する。この状態で、浴槽の外側の接続部材の取付部からの流体漏れを検査する。カバー体により、接続部材を覆う部分にだけ流体を貯留できるため、例えば、従来のように浴槽がほぼ満水になるまで水を張って漏水を検査する必要がなく、容易に接続部材の取付部の漏水検査を行うことが可能となる。
【００２５】
請求項８に記載の発明に係る漏水検査方法は、浴槽の壁部を貫通すると共に配管を接続するための接続部材の前記浴槽の外側の取付部の周辺に界面活性剤を塗布し、カバー体で前記接続部材を前記浴槽の内側から覆い、前記カバー体と前記浴槽の内壁との間の閉塞空間に封入された空気を加圧して、前記界面活性剤からの泡の発生状態により前記接続部材の取付部からの空気漏れを検査するものである。
【００２６】
本発明によれば、浴槽の壁部を貫通すると共に配管を接続するための接続部材の浴槽の外側の取付部の周辺に界面活性剤を塗布し、カバー体で接続部材を浴槽の内側から覆い、カバー体と浴槽の内壁との間の閉塞空間に空気を封入する。そして、閉塞空間に封入された空気を加圧する。その際、浴槽への接続部材の取付部に隙間があると、界面活性剤から空気漏れにより泡が発生する。すなわち、泡の発生状態を検査することで、液体（水など）を用いることなく、接続部材の取付部の漏水検査をより簡便に行うことが可能となる。
【００２７】
請求項９に記載の発明に係る漏水検査方法は、浴槽の壁部を貫通すると共に配管を接続するための接続部材をカバー体で前記浴槽の内側から覆い、前記カバー体と前記浴槽の内壁との間に液体が封入された閉塞空間を形成し、前記閉塞空間を減圧して前記接続部材の取付部からの空気の流入状態を検査するものである。
【００２８】
本発明によれば、浴槽の壁部を貫通すると共に配管を接続するための接続部材をカバー体で浴槽の内側から覆い、カバー体と浴槽の内壁との間に液体が封入された閉塞空間を形成する。そして、閉塞空間を減圧して接続部材の取付部からの空気の流入状態を検査する。浴槽への接続部材の取付部に隙間があると、その隙間からカバー体の内部に空気が流入し、閉塞空間の液体中に泡が発生する。これにより、接続部材の取付部の漏水検査をより簡便に行うことが可能となる。
【００２９】
請求項１０に記載の発明に係る漏水検査方法は、浴槽の壁部を貫通すると共に配管を接続するための接続部材をカバー体で前記浴槽の内側から覆い、前記カバー体と前記浴槽の内壁との間に空気が封入された閉塞空間を形成し、前記閉塞空間を減圧状態で放置し、前記カバー体の形状の変化を検査するものである。
【００３０】
本発明によれば、浴槽の壁部を貫通すると共に配管を接続するための接続部材をカバー体で浴槽の内側から覆い、カバー体と浴槽の内壁との間に空気が封入された閉塞空間を形成する。そして、空気が封入された閉塞空間を減圧状態で放置する。その際、浴槽への接続部材の取付部に隙間があると、その隙間からカバー体の内部に空気が流入し、カバー体の形状が変化する。これにより、液体（水など）を用いることなく、接続部材の取付部の漏水検査をより簡便に行うことが可能となる。
【発明の効果】
【００３１】
本発明の漏水検査治具及び漏水検査方法によれば、浴槽の壁部への接続部材の取付部からの漏水を容易に検査することができる。
【図面の簡単な説明】
【００３２】
【図１】本発明の第１実施形態に係る追焚き循環金具の取付部検査方法が適用される追焚き循環金具が取り付けられた浴槽及び配管を示す概略構成図である。
【図２】図１に示す浴槽に取り付けられる追焚き循環金具の一部を示す分解構成図である。
【図３】図１に示す浴槽に取り付けられる追焚き循環金具の分解斜視図である。
【図４】図１に示す浴槽に取り付けられる追焚き循環金具の一部を示す構成図である。
【図５】本発明の第１実施形態に係る漏水検査治具を示す図であって、（Ａ）は漏水検査治具の使用状態を示す断面図、（Ｂ）は漏水検査治具の斜視図である。
【図６】本発明の第２実施形態に係る漏水検査治具を示す図であって、（Ａ）は漏水検査治具の使用状態を示す断面図、（Ｂ）は漏水検査治具の斜視図である。
【図７】本発明の第３実施形態に係る漏水検査治具を示す図であって、（Ａ）は漏水検査治具の使用状態を示す断面図、（Ｂ）は漏水検査治具の斜視図である。
【図８】本発明の第４実施形態に係る漏水検査治具を示す斜視図である。
【図９】本発明の第５実施形態に係る漏水検査治具を示す斜視図である。
【図１０】（Ａ）、（Ｂ）は図９に示す漏水検査治具の使用方法を示す断面図である。
【図１１】本発明の第６実施形態に係る漏水検査治具の使用状態を示す断面図である。
【図１２】（Ａ）、（Ｂ）は本発明の第７実施形態に係る漏水検査治具の使用方法を示す断面図である。
【図１３】本発明の第８実施形態に係る漏水検査治具の使用状態を示す断面図である。
【図１４】本発明の第９実施形態に係る漏水検査治具の使用状態を示す断面図である。
【図１５】本発明の第１０実施形態に係る漏水検査治具の使用状態を示す断面図である。
【図１６】本発明の第１１実施形態に係る漏水検査治具の使用状態を示す断面図である。
【図１７】本発明の第１２実施形態に係る漏水検査治具の使用状態を示す断面図である。
【図１８】本発明の第１３実施形態に係る漏水検査治具の使用状態を示す断面図である。
【図１９】（Ａ）〜（Ｃ）は、図１８に示す漏水検査治具による追焚き循環金具の取付部検査方法を示す断面図である。
【図２０】比較例に係る追焚き循環金具の取付部検査方法を示す断面図である。
【発明を実施するための形態】
【００３３】
以下、本発明の実施の形態を図面に基づいて説明する。
【００３４】
図１には、本発明の第１実施形態である漏水検査方法が適用される追焚き循環金具が取り付けられた浴槽及び配管が示されている。また、図２には、追焚き循環金具が分解斜視図にて示されている。
【００３５】
図１に示されるように、浴槽１０の側壁（壁部）１２には、接続部材の一例としての追焚き循環金具１４が取り付けられている。追焚き循環金具１４には、浴槽１０に対して水を供給する供給用の配管１６と、浴槽１０から水を排出する排出用の配管１８とが接続されている。供給用の配管１６と排出用の配管１８の他端側は、給湯器２０にそれぞれ接続されている。浴槽１０の湯は、追焚き循環金具１４を介して排出用の配管１８に排出され、配管１８を通って給湯器２０に供給される。そして、給湯器２０で加熱された湯が供給用の配管１６に導入され、配管１６から追焚き循環金具１４を介して浴槽１０に供給される。
【００３６】
図２に示されるように、浴槽１０の側壁１２には、追焚き循環金具１４が取り付けられる円形状の開口部１２Ａが設けられている。追焚き循環金具１４は、供給用の配管１６と排出用の配管１８（図１参照）が接続される継手３０と、側壁１２における開口部１２Ａの周囲の外壁面と継手３０との間に介在される環状のパッキン３２と、浴槽１０の側壁１２の内側に配置されて継手３０に締結固定される金具本体３４と、側壁１２における開口部１２Ａの周囲の内壁面と金具本体３４との間に介在される環状のパッキン３６と、を備えている。なお、パッキン３６と金具本体３４との間に環状の平シート３８を配置してもよい。また、パッキン３２、３６はゴム製である。
【００３７】
さらに、追焚き循環金具１４は、金具本体３４における浴槽１０の内側に取り付けられるフィルターガイド４０と、フィルターガイド４０の表面に装着されるフィルター４２と、を備えている。
【００３８】
図２及び図３に示されるように、金具本体３４は、側壁１２の開口部１２Ａに挿入される円筒状の筒状部３４Ａと、筒状部３４Ａの外周面に形成された雄ねじ部３４Ｂと、筒状部３４Ａの一端に形成されたフランジ部３４Ｃと、を備えている。フランジ部３４Ｃの側面は、パッキン３６を挟んで浴槽１０の側壁１２の内壁面に押圧される。なお、図３では、金具本体３４の構造を分りやすくするため、金具本体３４を半裁断面図で示している。また、図３では、フランジ部３４Ｃとパッキン３６との間に配置される平シート３８を省略している。
【００３９】
図２及び図３に示されるように、継手３０は、円筒状の筒状部３０Ａと、筒状部３０Ａの内周面に形成され金具本体３４の雄ねじ部３４Ｂが螺合される雌ねじ部３０Ｂと、筒状部３０Ａの一端に形成されたフランジ部３０Ｃと、筒状部３０Ａの他端に形成された連結部３０Ｄと、連結部３０Ｄに設けられた２本の接続管３０Ｅと、を備えている。一方の接続管３０Ｅには、供給用の配管１６（図１参照）が接続され、他方の接続管３０Ｅには、排出用の配管１８（図１参照）が接続されるようになっている。また、図２に示すフィルターガイド４０は、フィルター４２をガイドするガイド部４０Ａと、ガイド部４０Ａの奥側に形成された小径の管状部４０Ｂと、を備えている。フィルターガイド４０は、管状部４０Ｂが金具本体３４の筒状部３４Ａ及び継手３０の筒状部３０Ａの内部に挿入されて連結部３０Ｄに連結される構成とされている。図示を省略するが、追焚き循環金具１４は、所謂一口循環接続金具であり、フィルターガイド４０の管状部４０Ｂが継手３０の連結部３０Ｄに連結された状態で、供給用の配管１６から浴槽１０に供給される湯と、浴槽１０から排出用の配管１８に排出される湯とが混ざり合わない構造となっている。
【００４０】
図４に示されるように、金具本体３４は、筒状部３４Ａが側壁１２の開口部１２Ａに挿入され、雄ねじ部３４Ｂが継手３０の雌ねじ部３０Ｂに螺合されている。この状態で、継手３０のフランジ部３０Ｃの側面は、パッキン３２を挟んで浴槽１０の側壁１２の外壁面に押圧され、金具本体３４のフランジ部３４Ｃの側面は、パッキン３６を挟んで浴槽１０の側壁１２の内壁面に押圧される。すなわち、追焚き循環金具１４は、側壁１２の開口部１２Ａを貫通するように側壁１２に取り付けられている。なお、図４では、金具本体３４の構造を分りやすくするため、金具本体３４を半裁断面図で示している。また、図４では、フランジ部３４Ｃとパッキン３６との間に配置される平シート３８を省略している。
【００４１】
また、浴槽１０の側壁１２への追焚き循環金具１４の取付部（追焚き循環金具１４と側壁１２との間）の漏水を検査する際には、継手３０の連結部３０Ｄの内周壁に止水プラグ５０が取り付けられる。止水プラグ５０は、連結部３０Ｄの内周壁に挿入される柱状の軸部５０Ａと、軸部５０Ａの一端に形成された頭部５０Ｂと、軸部５０Ａの外周面に形成された溝部５０Ｃと、を備えている。頭部５０Ｂは、軸部５０Ａの外径より大きい外径とされている。溝部５０Ｃには、リング状のパッキン（Ｏリング）５２が嵌着されている。止水プラグ５０の軸部５０Ａを継手３０の連結部３０Ｄに挿入したときに、連結部３０Ｄの内周壁にリング状のパッキン５２が接触することで、浴槽１０の内側からの流体（例えば、水など）が接続管３０Ｅに入り込むことを防止するようになっている。
【００４２】
次に、本発明の第１実施形態の漏水検査治具であって、浴槽１０の側壁１２への追焚き循環金具１４の取付部（追焚き循環金具１４と側壁１２との間）の漏水を検査するための漏水検査治具について説明する。
【００４３】
図４に示されるように、浴槽１０の側壁１２への追焚き循環金具１４の取付部の漏水を検査する際には、パッキン３２、３６を側壁１２の両側に介在させると共に、金具本体３４の筒状部３４Ａを側壁１２の開口部１２Ａに挿入し、雄ねじ部３４Ｂを継手３０の雌ねじ部３０Ｂに螺合させた状態で検査する。継手３０の連結部３０Ｄの内周壁には、止水プラグ５０が取り付けられ、浴槽１０の内側からの流体（例えば、水など）が接続管３０Ｅに入り込まないように防止されている。なお、２本の接続管３０Ｅにそれぞれ配管１６、１８が接続されている場合（図１参照）は、必ずしも止水プラグ５０を継手３０の連結部３０Ｄに取り付ける必要はない。
【００４４】
図５（Ａ）、（Ｂ）に示されるように、漏水検査治具６０は、浴槽１０の側壁１２に取り付けられた追焚き循環金具１４を浴槽１０の内側から覆うことができるカバー体の一例としてのカバー部６２で構成されている。カバー部６２は、追焚き循環金具１４の上方側を除いた周囲を覆うことができるボウル状の湾曲面６２Ａと、湾曲面６２Ａから延びて追焚き循環金具１４の左右両側及び下方側で側壁１２の内壁に密着される縁部６２Ｂと、湾曲面６２Ａの上部に形成され浴槽１０の上下方向における追焚き循環金具１４の上方側を開放する開口部６２Ｃと、を備えている。本実施形態では、カバー部６２の縁部６２Ｂの上端部は、浴槽１０の高さ方向において追焚き循環金具１４の取り付け面の上端部よりやや高く形成されている。このカバー部６２の縁部６２Ｂを追焚き循環金具１４を覆うように側壁１２の内壁に密着されることで、カバー部６２と側壁１２の内壁との間に液体（水など）が貯留される貯留部が形成される。
【００４５】
なお、カバー部６２の縁部６２Ｂは、少なくとも浴槽１０の高さ方向において追焚き循環金具１４の取り付け面の上端部より低い部分で浴槽１０の内壁に密着し、追焚き循環金具１４の取り付け面を覆う部分に流体（例えば、水などの液体）を入れられる構成であればよい。
【００４６】
次に、漏水検査治具６０の作用であって、追焚き循環金具１４の取付部の漏水検査方法について説明する。
【００４７】
図５（Ａ）に示されるように、浴槽１０の側壁１２に取り付けられた追焚き循環金具１４を浴槽１０の内側から覆うように漏水検査治具６０のカバー部６２を配置し、カバー部６２の縁部６２Ｂを追焚き循環金具１４の左右両側及び下方側で側壁１２の内壁に密着させる。そして、カバー部６２の内部に開口部６２Ｃから液体の一例としての水６６を注入する（水６６を溜める）。これにより、浴槽１０の内側の追焚き循環金具１４の周囲が水で満たされる。
【００４８】
この状態で、浴槽１０の側壁１２への追焚き循環金具１４の取付部（側壁１２と追焚き循環金具１４との間）からの水漏れを検査する。追焚き循環金具１４と側壁１２との間に隙間がある場合（追焚き循環金具１４の締め付けが甘い場合）には、漏水検査治具６０（カバー部６２）の内部の水が、追焚き循環金具１４の取付部から側壁１２の外壁側に漏れ出し、漏水が検出される。
【００４９】
このような漏水検査治具６０では、追焚き循環金具１４を覆う部分にだけ水６６を貯留できる（水６６を溜められる）ため、例えば、浴槽１０がほぼ満水になるまで水を張って漏水検査を行う必要がなく、容易に追焚き循環金具１４の取付部の漏水検査を行うことができる。さらに、漏水検査治具６０では、浴槽１０への配管１６、１８の接続の有無にかかわらず、浴槽１０の側壁１２への追焚き循環金具１４の取付部からの漏水を容易に検査することができる。
なお、カバー部６２の縁部６２Ｂを側壁１２の内壁に密着させる手段として、接着剤などを用いたり、吸着パッドなどの密着補助手段を用いたりしてもよい。
【００５０】
図２０には、比較例に係る追焚き循環金具の取付部検査方法が示されている。この図に示されるように、追焚き循環金具１４を浴槽１０の側壁１２に取り付けた後、供給用の配管１６と排出用の配管１８の一端側を追焚き循環金具１４に接続すると共に、供給用の配管１６と排出用の配管１８の他端側を給湯器２０に接続する。この状態で、浴槽１０の内部に水６６を導入してほぼ満水状態とし、浴槽１０の側壁１２への追焚き循環金具１４の取付部（追焚き循環金具１４と側壁１２との間）の漏水を検査する（満水試験）。
【００５１】
このような追焚き循環金具の取付部検査方法では、浴槽１０の内部にほぼ満水となるように水６６を張って追焚き循環金具１４と側壁１２との間の漏水を検査するため、漏水検査を行う際に手間がかかり、また、浴槽１０に張った水６６が無駄となる。また、追焚き循環金具１４の取付部の漏水検査は、追焚き循環金具１４の浴槽１０の側壁１２への取り付け後にすぐに実施したいが、配管１６、１８が接続されておらず、実施できない場合がある。また、追焚き循環金具１４の側壁１２への取り付け直後は、給水が接続されておらず、満水試験を実施したくても、水を溜める術がないことが多い。さらに、浴槽１０に排水管が接続されていないことが多く、満水試験を実施した後に浴槽１０に溜めた水６６を排水することができない可能性がある。
【００５２】
これに対して、本実施形態の漏水検査治具６０では、追焚き循環金具１４を覆う部分にだけ水６６を溜めることができ、浴槽１０の側壁１２への追焚き循環金具１４の取付部からの漏水を容易に検査することができる。また、追焚き循環金具１４に配管１６、１８が接続されていなくても、止水プラグ５０を用いて止水することで、配管１６、１８の接続の有無にかかわらず、側壁１２への追焚き循環金具１４の取付部からの漏水を検査することができる。さらに、本実施形態の漏水検査治具６０は、新築工事以外にも、竣工後の追焚き循環金具１４の取付部の漏水検査にも使用することができる。すなわち、追焚き循環金具１４は、新築時には浴槽１０の側壁１２にしっかりと締め付けられていても、使用中に段々緩んできて漏水が発生する場合がある。このような場合でも、本実施形態の漏水検査治具６０を用いることで、追焚き循環金具１４の取付部からの漏水を容易かつ簡便に検査することができる。
【００５３】
次に、本発明の第２実施形態である漏水検査治具について説明する。なお、第１実施形態と同一の部材には同一の符号を付し、重複した説明は省略する。
【００５４】
図６（Ａ）、（Ｂ）に示されるように、漏水検査治具７０は、浴槽１０の側壁１２に取り付けられた追焚き循環金具１４を浴槽１０の内側から覆うことができるカバー体の一例としてのボウル状のカバー部７２で構成されている。カバー部７２は、追焚き循環金具１４のほぼ全体を覆う略半球状の湾曲面７２Ａを備えており、湾曲面７２Ａの縁部７２Ｂ全体が側壁１２の内壁に密着されることで、カバー部７２の内部に流体（例えば、水６６などの液体）が封入される。すなわち、カバー部７２の内部は、流体が封入される貯留部とされる共に、湾曲面７２Ａの縁部７２Ｂ全体が側壁１２の内壁に密着されることで、貯留部が閉塞空間とされている。
【００５５】
この漏水検査治具７０では、カバー部７２の湾曲面７２Ａの内部に流体の一例としての水６６を入れ、図６（Ａ）に示されるように、追焚き循環金具１４を浴槽１０の内側から覆うようにカバー部７２の縁部７２Ｂを側壁１２の内壁に密着させる。これにより、カバー部７２内の追焚き循環金具１４の浴槽１０側が水６６で満たされる。この状態で、浴槽１０の側壁１２への追焚き循環金具１４の取付部（側壁１２と追焚き循環金具１４との間）からの水漏れが検査される。
【００５６】
このような漏水検査治具７０では、追焚き循環金具１４を覆う部分にだけ水６６を貯留できる（水６６を溜められる）ため、容易に追焚き循環金具１４の取付部の漏水検査を行うことができる。
【００５７】
次に、本発明の第３実施形態である漏水検査治具について説明する。なお、第１及び第２実施形態と同一の部材には同一の符号を付し、重複した説明は省略する。
【００５８】
図７（Ａ）、（Ｂ）に示されるように、漏水検査治具８０は、略半球状のカバー部７２と、カバー部７２の上部に接続された筒状部８２と、を備えている。筒状部８２は、カバー部７２の縁部７２Ｂが浴槽１０の側壁１２に密着された状態で上方に向かって延びており、筒状部８２の上端（先端）には、カバー部７２の内部に液体（例えば水）を注入するための開口部８４が形成されている。筒状部８２の上下方向の長さを伸ばすことで、筒状部８２及びカバー部７２の内部に液体が溜められたときに、カバー部７２の内部の液体圧を上げることができる。本実施形態では、筒状部８２は円筒管とされている。
【００５９】
この漏水検査治具８０では、図７（Ａ）に示されるように、追焚き循環金具１４を浴槽１０の内側から覆うようにカバー部７２の縁部７２Ｂを側壁１２の内壁に密着させる。そして、筒状部８２の開口部８４から水６６を注入し、カバー部７２の内部に水を溜めることで、カバー部７２内の追焚き循環金具１４の浴槽１０側が水６６で満たされる。この状態で、浴槽１０の側壁１２への追焚き循環金具１４の取付部（側壁１２と追焚き循環金具１４との間）からの水漏れが検査される。
【００６０】
このような漏水検査治具８０では、追焚き循環金具１４を覆う部分にだけ水６６を貯留できる（水６６を溜められる）ため、容易に追焚き循環金具１４の取付部の漏水検査を行うことができる。また、筒状部８２の上下方向の長さを伸ばすことで、筒状部８２に満たされる水６６により、カバー部７２内の追焚き循環金具１４の周囲の水圧を上げることができる。このため、側壁１２と追焚き循環金具１４との隙間から水６６が漏れ出しやすくなり、追焚き循環金具１４の取付部の漏水検査がより確実となる。
【００６１】
次に、本発明の第４実施形態である漏水検査治具について説明する。なお、第１〜第３実施形態と同一の部材には同一の符号を付し、重複した説明は省略する。
【００６２】
図８に示されるように、漏水検査治具９０は、追焚き循環金具１４（図５参照）の上方側を除いた周囲を覆う湾曲面６２Ａを備えたカバー部６２の縁部６２Ｂにゴム製のパッキン９２が貼着されている。本実施形態では、パッキン９２はカバー部６２の縁部６２Ｂに接着剤で接着されている。
【００６３】
このような漏水検査治具９０では、カバー部６２の縁部６２Ｂに貼着されたパッキン９２が側壁１２（図５参照）の内壁に密着されることで、カバー部６２の内部に水を溜めたときに、カバー部６２と側壁１２の間から水が漏れることが抑制される。
【００６４】
次に、本発明の第５実施形態である漏水検査治具について説明する。なお、第１〜第４実施形態と同一の部材には同一の符号を付し、重複した説明は省略する。
【００６５】
図９及び図１０に示されるように、漏水検査治具１００は、略半球状のカバー部７２と、カバー部７２に連結されてカバー部７２内を加圧又は減圧する加圧機構又は減圧機構の一例としての圧力可変部材１０２と、を備えている。圧力可変部材１０２は、カバー部７２の上部に連結された連結管１０２Ａと、連結管１０２Ａの端部に設けられた伸縮可能な蛇腹部１０２Ｂと、を備えている。蛇腹部１０２Ｂの上端面は閉塞されている。蛇腹部１０２Ｂは、連結管１０２Ａの軸方向に沿って伸縮可能に構成されている。この圧力可変部材１０２は、蛇腹部１０２Ｂを圧縮又は伸長することにより、加圧機構と減圧機構を兼用できる構造とされている。
【００６６】
本実施形態では、漏水検査治具１００のカバー部７２に封入される流体として水（液体）６６を用い、圧力可変部材１０２を加圧機構として使用する。図１０（Ａ）に示されるように、圧力可変部材１０２の蛇腹部１０２Ｂを伸長させ、カバー部７２に流体の一例としての水６６を入れた状態で、追焚き循環金具１４を浴槽１０の内側から覆うようにカバー部７２の縁部７２Ｂを側壁１２の内壁に密着させる。これにより、カバー部７２の内部に水６６が封入され、カバー部７２の内部が閉塞状態とされる。そして、図１０（Ｂ）に示されるように、蛇腹部１０２Ｂを潰す（圧縮する）ことで、カバー部７２の内部が加圧される。これによって、カバー部７２の内部の水圧が高い状態で、浴槽１０の側壁１２への追焚き循環金具１４の取付部（側壁１２と追焚き循環金具１４との間）からの水漏れを検査することができ、側壁１２と追焚き循環金具１４との間に隙間がある場合は水６６が漏れ出しやすくなる。このため、追焚き循環金具１４の取付部の漏水検査がより一層容易となる。
【００６７】
次に、本発明の第６実施形態である漏水検査治具について説明する。なお、第１〜第５実施形態と同一の部材には同一の符号を付し、重複した説明は省略する。
【００６８】
図１１に示されるように、本実施形態では、漏水検査治具１００のカバー部７２に封入される流体として空気１０６を用い、圧力可変部材１０２を加圧機構として使用する。この漏水検査治具１００では、圧力可変部材１０２の蛇腹部１０２Ｂを伸長させると共に、カバー部７２に流体の一例としての空気１０６を入れた状態で、追焚き循環金具１４を浴槽１０の内側から覆うようにカバー部７２の縁部７２Ｂを側壁１２の内壁に密着させる。これによって、カバー部７２の内部は、空気１０６が密封された閉塞空間とされ、カバー部７２の内部が気密状態に保たれる。この状態で、追焚き循環金具１４の側壁１２の外壁側部分（継手３０側）のパッキン３２とフランジ部３０Ｃ付近にスプレー１０８により界面活性剤の一例としての石鹸水を噴霧する。
【００６９】
その後、蛇腹部１０２Ｂを潰すことで、カバー部７２の内部が加圧される。側壁１２と追焚き循環金具１４との間に隙間がある場合は、カバー部７２の内部の空気１０６がパッキン３２とフランジ部３０Ｃ付近から漏れ出し、石鹸水中に泡が出る。これによって、実際に水などの液体を使用しなくても、側壁１２への追焚き循環金具１４の取付部（側壁１２と追焚き循環金具１４との間）の漏水検査を行うことができ、漏水検査がより簡便となる。
【００７０】
なお、カバー部７２に空気１０６を入れて検査する方法においては、本実施形態の石鹸水をかける方法以外に、カバー部７２の中に貯める空気に線香等で煙を入れる方法も考えられる。
【００７１】
次に、本発明の第７実施形態である漏水検査治具について説明する。なお、第１〜第６実施形態と同一の部材には同一の符号を付し、重複した説明は省略する。
【００７２】
図１２に示されるように、本実施形態では、漏水検査治具１００のカバー部７２に封入される流体として水６６を用い、圧力可変部材１０２を減圧機構として使用する。また、本実施形態の漏水検査治具１００は、カバー部７２を樹脂等の透明部材で形成する。図１２（Ａ）に示されるように、圧力可変部材１０２の蛇腹部１０２Ｂを潰すと共に、カバー部７２に流体の一例としての水（液体）６６を入れた状態で、追焚き循環金具１４を浴槽１０の内側から覆うようにカバー部７２の縁部７２Ｂを側壁１２の内壁に密着させる。これにより、カバー部７２の内部に水（液体）６６が封入される。そして、図１２（Ｂ）に示されるように、蛇腹部１０２Ｂを伸長することで、カバー部７２の内部が減圧される。側壁１２と追焚き循環金具１４との間に隙間がある場合（追焚き循環金具１４の締め付けが甘い場合）は、側壁１２の外壁側から空気が入り込み、カバー部７２の内部の水６６中で泡が発生する。カバー部７２を透明部材で形成することで、カバー部７２の外側から水６６中の泡を視認できる。このため、追焚き循環金具１４の取付部の漏水検査がより一層容易となる。
【００７３】
次に、本発明の第８実施形態である漏水検査治具について説明する。なお、第１〜第７実施形態と同一の部材には同一の符号を付し、重複した説明は省略する。
【００７４】
図１３に示されるように、漏水検査治具１２０は、浴槽１０の側壁１２（図１０参照）に取り付けられた追焚き循環金具１４を浴槽１０の内側から覆うことができるカバー体の一例としての凸状のカバー部１２２と、カバー部１２２の外周面に設けられ、カバー部１２２内を加圧又は減圧する加圧機構又は減圧機構の一例としての圧力可変部１２４と、を備えている。カバー部１２２には、浴槽１０の側壁１２（図１０参照）に密着される縁部１２２Ａが設けられている。圧力可変部１２４は、凸状のカバー部１２２の外周面の略全体に形成された蛇腹状部からなり、蛇腹状部を縁部１２２Ａの面方向に対して略直交する方向に伸長又は圧縮することで、カバー部１２２内を減圧又は加圧するようになっている。凸状のカバー部１２２の端面は閉塞されている。すなわち、カバー部１２２自体が伸長又は圧縮されることで、減圧機構と加圧機構を兼用できる構造とされている。
【００７５】
このような漏水検査治具１２０は、第５〜第７実施形態の漏水検査治具１００と同様の検査方法により追焚き循環金具１４と側壁１２（図１０参照）との間の漏水検査を行うことができる。
【００７６】
次に、本発明の第９実施形態である漏水検査治具について説明する。なお、第１〜第８実施形態と同一の部材には同一の符号を付し、重複した説明は省略する。
【００７７】
図１４に示されるように、漏水検査治具１３０は、浴槽１０の側壁１２に取り付けられた追焚き循環金具１４を浴槽１０の内側から覆うことができる略半球状のカバー部７２と、カバー部７２の上端から延設され、側壁１２の上端部１３に係止される（引っ掛かる）係止部１３２と、を備えている。係止部１３２は、側壁１２の上端部１３の表面形状に沿って断面略Ｕ字状に形成されており、カバー部７２の縁部７２Ｂを側壁１２の内壁に密着させた状態で、側壁１２の上端部１３に引っ掛かるように形成されている。
【００７８】
このような漏水検査治具１３０は、カバー部７２の内部に水６６を入れた状態でカバー部７２の縁部７２Ｂを側壁１２の内壁に密着させ、係止部１３２を側壁１２の上端部１３に引っ掛ける。この状態で漏水検査治具１３０をしばらく放置することができ、追焚き循環金具１４と側壁１２との間の漏水検査が容易となる。このため、係止部１３２がない場合と比較して、作業中にカバー部の内部に水６６を入れた状態でカバー部を支える必要がなく、作業負担を軽減することができる。
【００７９】
次に、本発明の第１０実施形態である漏水検査治具について説明する。なお、第１〜第９実施形態と同一の部材には同一の符号を付し、重複した説明は省略する。
【００８０】
図１５に示されるように、漏水検査治具１４０は、浴槽１０の側壁１２に取り付けられた追焚き循環金具１４の上方側を除いた周囲を覆うカバー部６２と、カバー部６２の縁部６２Ｂを側壁１２に密着した状態でカバー部６２の下部に設けられた排水管１４２と、を備えている。排水管１４２には、開閉可能な弁１４４が設けられている。
【００８１】
このような漏水検査治具１４０は、弁１４４を閉止した状態で、カバー部６２に水６６を溜めて側壁１２への追焚き循環金具１４の取付部（側壁１２と追焚き循環金具１４との間）の漏水検査を行った後、弁１４４を開放することで、排水管１４２から水６６が排水される。このため、漏水検査治具１４０の取り扱い性が向上する。
【００８２】
次に、本発明の第１１実施形態である漏水検査治具について説明する。なお、第１〜第１０実施形態と同一の部材には同一の符号を付し、重複した説明は省略する。
【００８３】
図１６に示されるように、漏水検査治具１５０は、浴槽１０の側壁１２に取り付けられた追焚き循環金具１４を浴槽１０の内側から覆うことができる略半球状のカバー部７２と、カバー部７２の中央部からカバー部７２の内側方向に延びた棒状部１５２と、棒状部１５２の先端に設けられた止水プラグ１５４と、を備えている。棒状部１５２は、カバー部７２の接線と直交する方向に延びており、カバー部７２の縁部７２Ｂを側壁１２の内壁に密着させた状態で、棒状部１５２が追焚き循環金具１４の継手３０の内部に挿入される。止水プラグ１５４は、軸部の外周面に形成された溝部にリング状のパッキン５２が嵌着されたものであり、止水プラグ１５４が継手３０の連結部３０Ｄの内周壁に取り付けられることで、カバー部７２内の水６６が配管１６、１８（図１参照）に流れ込むことを防止している。漏水検査治具１５０は、カバー部７２の縁部７２Ｂが側壁１２の内壁に密着されたときに、止水プラグ１５４が継手３０の連結部３０Ｄの内周壁に取り付けられるように構成されている。
【００８４】
この漏水検査治具１５０では、カバー部７２が止水プラグ１５４と一体に形成されているので、止水プラグ１５４の脱落を防止できる。また、止水プラグ１５４及び棒状部１５２によって、カバー部７２の縁部７２Ｂが側壁１２の内壁に密着された状態で保持されるので、漏水検査治具１５０の取り扱い性が向上する。
【００８５】
次に、本発明の第１２実施形態である漏水検査治具を用いた追焚き循環金具の取付部検査方法の一例について説明する。なお、第１〜第１１実施形態と同一の部材には同一の符号を付し、重複した説明は省略する。
【００８６】
図１７に示されるように、浴槽１０の側壁１２に取り付けられた追焚き循環金具１４を浴槽１０の内側から覆うように漏水検査治具６０が配置されており、側壁１２の内壁にカバー部６２の縁部６２Ｂが密着されると共に、カバー部６２の内部に水６６が溜められている。側壁１２の外壁には、漏水検査治具６０のパッキン３２の周囲に漏水検知用のテープ１６０が取り付けられている。本実施形態では、テープ１６０として、水分を検知すると変色する紙が用いられている。また、テープ１６０は、パッキン３２の周囲を囲むようにリング状に形成されている。
【００８７】
側壁１２への追焚き循環金具１４の取付部（側壁１２と追焚き循環金具１４との間）からの漏水は、通常では微小漏水であるため、しっかりと観察しないと漏水しているか否かがわからない場合が多い。このため、テープ１６０の変色を検知することで、側壁１２と追焚き循環金具１４との間の漏水を容易に確認することができ、漏水検知能力が向上する。
【００８８】
次に、本発明の第１３実施形態である漏水検査治具を用いた追焚き循環金具の取付部検査方法の一例について説明する。なお、第１〜第１２実施形態と同一の部材には同一の符号を付し、重複した説明は省略する。
【００８９】
図１８に示されるように、漏水検査治具１７０は、浴槽１０の側壁１２に取り付けられた追焚き循環金具１４を浴槽１０の内側から覆うことができるカバー体の一例としてのボウル状のカバー部１７２で構成されており、カバー部１７２は、略半球状の湾曲面１７２Ａの縁部１７２Ｂ全体が側壁１２の内壁に密着される。カバー部１７２は、比較的柔らかい部材（例えば、樹脂製）で形成されており、湾曲面１７２Ａの頂部が縁部１７２Ｂ側に弾性変形可能となっている。すなわち、漏水検査治具１７０は、カバー部１７２を縁部１７２Ｂ側に弾性変形させることで、カバー部１７２内が負圧となって、カバー部１７２の縁部１７２Ｂが側壁１２に吸着される吸盤形状とされている。
【００９０】
この漏水検査治具１７０では、図１８及び図１９（Ａ）に示されるように、湾曲面１７２Ａの頂部を縁部１７２Ｂ側に変形させた状態で、カバー部１７２の縁部１７２Ｂ全体を側壁１２の内壁に吸着させることで、カバー部１７２の内部に空気１０６が密封されて負圧になる（減圧状態）。この状態で、漏水検査治具１７０を放置する。
【００９１】
図１９（Ｂ）に示されるように、側壁１２と追焚き循環金具１４との間に隙間がある場合は、カバー部１７２の内部に空気が入り込み、カバー部１７２の湾曲面１７２Ａが膨らんでくる。
【００９２】
そして、カバー部１７２の内部が大気圧とほぼ同じになると、図１９（Ｃ）に示されるように、漏水検査治具１７０が側壁１２から脱落する。
【００９３】
このような漏水検査治具１７０では、図１９（Ａ）に示されるように、カバー部１７２を変形させカバー部１７２内を負圧にした状態で所定時間放置することで、漏水検査治具１７０が側壁１２に吸着されたままであれば、側壁１２への追焚き循環金具１４の取付部からの漏水が発生せず、漏水検査治具１７０が側壁１２から脱落していれば、側壁１２への追焚き循環金具１４の取付部からの漏水が発生する。このため、漏水検査治具１７０により、実際に水（液体）を溜めなくても追焚き循環金具１４の取付部からの漏水検査を行うことができ、漏水検査がより一層容易となる。
なお、漏水検査治具１７０が側壁１２から脱落しなくても、カバー部１７２の形状の変化を検査することで、追焚き循環金具１４の取付部からの漏水検査を行うことができる。
【００９４】
なお、上記第１実施形態〜第１３実施形態では、漏水検査治具のカバー部の形状は、本発明を逸脱しない範囲で変更可能である。すなわち、カバー部の形状は、追焚き循環金具１４を浴槽の内側から覆い、浴槽の内壁との間に流体を貯留できる形状であれば、変更可能である。
【００９５】
また、上記第４実施形態は、漏水検査治具９０を構成するカバー部６２の縁部６２Ｂにパッキンを備えているが、他の実施形態の漏水検査治具についても同様にカバー部の縁部にパッキンを設けることができる。これにより、追焚き循環金具１４の取付部の漏水検査を行うときに、漏水検査治具を構成するカバー部の縁部と浴槽の壁面との間から流体が漏れることを抑制することができる。なお、パッキンに代えて、カバー部の縁部を接着剤や吸着パッドなどの密着補助手段を用いて浴槽の壁面に密着させるようにしてもよい。
【００９６】
また、上記第１実施形態〜第１３実施形態に記載の漏水検査治具は、一口循環接続金具である追焚き循環金具１４の取付部の漏水検査に用いられているが、この追焚き循環金具１４に限定されず、他のタイプの接続部材（例えば、２つ穴タイプの２口循環接続金具、追焚きを行わず、給湯のみを行う給湯金具、又は樹脂製の接続部材）の取付部の漏水検査にも適用することができる。
【符号の説明】
【００９７】
１０   浴槽
１２   側壁（壁部）
１４   追焚き循環金具（接続部材）
６０   漏水検査治具
６２   カバー部（カバー体）
６２Ｂ 縁部
６２Ｃ 開口部
６６   水（流体）
７０   漏水検査治具
７２   カバー部（カバー体）
７２Ｂ 縁部
８０   漏水検査治具
８２   筒状部
８４   開口部
９０   漏水検査治具
１００ 漏水検査治具
１０２ 圧力可変部材（加圧機構、減圧機構）
１０２Ｂ      蛇腹部
１０６ 空気（流体）
１２０ 漏水検査治具
１２２ カバー部（カバー体）
１２２Ａ      縁部
１２４ 圧力可変部（加圧機構、減圧機構）
１３０ 漏水検査治具
１４０ 漏水検査治具
１５０ 漏水検査治具
１７０ 漏水検査治具
１７２ カバー部（カバー体）
１７２Ｂ      縁部
【図１】
2012225874.tif 000003
【図２】
2012225874.tif 000004
【図３】
2012225874.tif 000005
【図４】
2012225874.tif 000006
【図５】
2012225874.tif 000007
【図６】
2012225874.tif 000008
【図７】
2012225874.tif 000009
【図８】
2012225874.tif 000010
【図９】
2012225874.tif 000011
【図１０】
2012225874.tif 000012
【図１１】
2012225874.tif 000013
【図１２】
2012225874.tif 000014
【図１３】
2012225874.tif 000015
【図１４】
2012225874.tif 000016
【図１５】
2012225874.tif 000017
【図１６】
2012225874.tif 000018
【図１７】
2012225874.tif 000019
【図１８】
2012225874.tif 000020
【図１９】
2012225874.tif 000021
【図２０】
2012225874.tif 000022